(57)【要約】【課題】天井と壁の接合部の下地構造であって、外壁に沿った内装壁と天井との接続部や、厚さが変化する虞のある間仕切壁と天井との接続部に適用したときに有利なように構成する。【解決手段】天井と天井又は予め想定された天井と壁との接合部に於ける内壁４と対応する位置に木製の垂木１を配置すると共に該垂木を梁３のフランジ３ａに取り付けた支持金物２によって支持し、垂木１の側面に軽鉄製の野縁用ランナー７を固定すると共に下面１ｂに間仕切壁用ランナー８を固定し、各ランナー７，８に下地となる野縁１０，スタッド１１を固定する。【選択図】              図１
2004285561.tif 000002
【特許請求の範囲】
【請求項１】
住宅内の天井と壁との接合部に於ける下地構造であって、天井と壁との接合部又は予め想定された天井と壁との接合部に於ける内壁と対応する位置に間仕切壁では２本の、外壁に沿った内壁では１本の木製の垂木を配置すると共に該垂木を梁又は上部のスラブから支持し、前記垂木に軽鉄製のランナーを固定すると共に該ランナーに下地を固定したことを特徴とする天井と壁の接合部の下地構造。
【発明の詳細な説明】
【０００１】
【発明の属する技術分野】
本発明は、天井と壁との接合部位、或いは予め想定された天井と壁との接合部位に用いて有利な下地構造に関するものである。
【０００２】
【従来の技術】
住宅では、内部を複数の室に仕切る間仕切壁が形成されると共に外壁に沿って内装壁が形成され、これらの間仕切壁，内装壁の上部に天井が形成される。一般に、間仕切壁や外壁に沿った内装壁等の壁と天井は、天井部位で両者が交叉するため、何れか一方側が優先的に構成され、これに対して他方側が接続するように構成されている。
【０００３】
また建物の長寿命化に伴って、内部の間仕切壁の位置を変更して間取りを変更するような必要が生じる。このような需要に対応するために、本件出願人は、間仕切壁の下地の頭繋ぎに対して接続具を対向して配置し、この接続具の下面に頭繋ぎを接続すると共に接続具の側面に天井下地を接続した壁と天井の下地接続構造を特許出願している（特許文献１参照）。
【０００４】
上記技術では、鋼板を折り曲げ成形して断面が溝型で、幅寸法が間仕切壁の厚さに対応した寸法を持ったピース状の接続具を用いており、この接続具を梁に取り付けた補助金物に対し取付位置を調整し得るように取り付けている。そして接続具の下面に壁下地を構成する頭繋ぎを接続すると共に側面に天井下地を構成する野縁を接続することで、壁と天井を下地を接続している。
【０００５】
【特許文献１】
特開２０００−１４４９８９号公報
【０００６】
【発明が解決しようとする課題】
上記技術は、住宅内の間取りを変更する際に、現在の間仕切壁を撤去して天井に変更する工事、新たな間仕切壁を構成する工事を短期間で行うことが出来、間取りの変更に対する居住者の要求に対し好ましく対応することが出来る。
【０００７】
しかし、上記技術が間仕切壁を対象としているため、接続具の幅が間仕切壁の厚さと略等しい寸法を有しており、この接続具を補助金具の両側面に取り付けるように構成されている。このため、前記構成に起因する幾つかの問題も生じている。
【０００８】
例えば、外壁に沿った内壁と天井の下地を接続するための構造として用いることが出来ないという問題が生じている。即ち、外壁に沿った内装壁は、躯体に外壁材を取り付けた後、屋内側に形成される。このため、外壁に沿って配置された梁に補助金物を取り付けると共に該補助金物に接続具を取り付ける場合、梁と外壁材の屋内側の面との隙間が小さくなり、補助金物は予め梁に取り付けておくことが可能であるものの、該補助金物に接続具を取り付ける際に屋内側からは固定出来ても、外壁側は固定出来ないという問題が生じている。
【０００９】
また間仕切壁の厚さの変化、特に、厚さが薄くなったときに対応し得ないという問題も生じている。即ち、間仕切壁を構成する部材であっても加工公差が設定されるため、この範囲内の誤差が生じる。しかし、接続具が一材で構成されるため、寸法の変化に対する自由度がなく、周囲の変化に対応することが困難となるという問題が生じている。
【００１０】
本発明の目的は、外壁に沿った内装壁と天井との接続部や、厚さが変化する虞のある間仕切壁と天井との接続部に適用して有利な天井と壁の接合部の下地構造を提供することにある。
【００１１】
【課題を解決するための手段】
上記課題を解決するために本発明に係る天井と壁の接合部の下地構造は、住宅内の天井と壁との接合部に於ける下地構造であって、天井と壁との接合部又は予め想定された天井と壁との接合部に於ける内壁と対応する位置に間仕切壁では２本の、外壁に沿った内壁では１本の木製の垂木を配置すると共に該垂木を梁又は上部のスラブから支持し、前記垂木に軽鉄製のランナーを固定すると共に該ランナーに下地を固定したものである。
【００１２】
上記天井と壁の接合部の下地構造（以下、単に「下地構造」という）では、天井と壁との接合部、或いは予め想定された天井と壁との接合部に於ける内壁と対応する位置に間仕切壁では２本の、また外壁に沿った内壁（以下「内装壁」という）では１本の木製の垂木を配置し、この垂木を梁或いは上部のスラブから支持することで、内壁に対応した垂木を配置することが出来る。そして前記垂木の下面に軽鉄製の壁用ランナーを固定することで壁の下地を構成することが出来、更に、垂木の側面に軽鉄製の天井用ランナーを固定することで天井の下地を固定することが出来る。
【００１３】
即ち、目的の内壁が間仕切壁である場合、並行する一対の内壁毎に垂木を配置して下地構造を構成することが出来、また目的の内壁が外壁に沿った内装壁である場合、該内装壁に対応させた位置に垂木を配置して下地構造を構成することが出来る。特に、外壁に沿った内装壁である場合、垂木を梁の屋内側にのみ取り付ければ良く、躯体に外壁を構成した後、下地構造を施工する場合であっても、梁に対し屋内側に垂木を配置して確実に取り付けることが出来る。
【００１４】
また各内壁に対応させた垂木は、梁又は上部のスラブから片持ち状に支持されて夫々が独立しており、壁の厚さ方向への位置の調整が容易である。このため、壁の厚さ方向の変化（内壁の位置の変化）に容易に対応することが出来る。
【００１５】
【発明の実施の形態】
以下、本発明に係る下地構造の好ましい実施形態について説明する。本発明の下地構造は、天井と壁との接合部、或いは予め想定された天井と壁との接合部に於ける内壁毎に対応させた位置に木製の垂木を設けて梁或いは上部のスラブから支持し、この垂木に壁下地，天井下地を接続するものである。
【００１６】
垂木は、内壁毎に対応して設けられる。このため、間仕切壁のように並行して配置した一対の内壁を構成する場合、夫々の内壁に対応して二つの垂木が設けられ、これらの垂木の下面に壁下地となるスタッドを取り付けるためのランナー（間仕切壁用ランナー）を固定すると共に両側面に天井下地となる野縁を取り付けるためのランナー（野縁用ランナー）を固定することで、間仕切壁と該間仕切壁の両側に位置する天井との接続部の下地構造を構成することが可能である。
【００１７】
また外壁に沿って内装壁を構成する場合、外壁に対向する内装壁に対応して垂木が設けられ、該垂木の下面に一つの内装壁を取り付けるためのランナー（内装壁用ランナー）を固定すると共に垂木の室内側の面に野縁用ランナーを固定することで、内壁と天井との接合部の下地構造を構成することが可能である。
【００１８】
住宅が、将来間取りの変更が想定される場合、この間取りの変更を見越して想定される位置に予め本発明の下地構造を構成しておくことが好ましい。即ち、将来、間取りを変更する際に想定される間仕切壁に対応する位置に、該間仕切壁を構成する並行な内壁に対応させて垂木を配置すると共に該垂木を梁或いは上部のスラブから支持しておき、夫々の垂木の側面であって将来間取りを変更したときに天井となる側面に野縁用ランナーを固定しておくと共に、間仕切壁の厚さに対応する部分には天井材と同じ材を取り付けておくことで、間取りを変更するまでの間、通常の天井と同一の仕上げ状態としておくことが可能である。
【００１９】
そして、実際に間取りを変更する必要が生じたとき、想定された間取りに従って間仕切壁を構成すべき位置の天井材を撤去して二つの垂木を露出させ、その後、垂木の下面に間仕切壁用ランナーを固定すると共にスタッドを配置して下地構造を構成することが可能である。
【００２０】
同様に、間取りの変更に伴って、間仕切壁用ランナーを含む間仕切壁を撤去した後、該間仕切壁の内壁に対応して設けた垂木の下面に天井材と同じ材を取り付けることで、隣接する既存の天井と略同一の仕上げ状態とすることが可能である。
【００２１】
上記の如く、本発明に係る下地構造では、経時的に居住する人数が変化したり、居住する人員構成が変化した場合、これらの変化に伴って内部の間仕切り位置を変更する必要が生じたとき、この要求に対し最小限の工事で対応することが可能である。
【００２２】
垂木は断面が正方形或いは長方形の長尺状の木材によって構成されている。この垂木の幅寸法は間仕切壁ランナーの幅寸法の１／２であって良いが、該間仕切壁ランナーの幅寸法の差や、間仕切壁の形成位置を調整する機能を発揮させるにためは、間仕切壁ランナーの幅寸法の１／２よりも小さいことが好ましい。また垂木の高さ寸法は、予め設定された目的の天井の高さを満足し得るように構成される。
【００２３】
垂木を梁や上部のスラブから支持する構造は特に限定するものではない。例えば、梁から支持する場合、Ｈ形鋼からなる梁の下フランジにコ字状の支持金物を固定し、この支持金物に垂木を取り付けることで懸垂状に支持することが好ましい。また上部のスラブから支持する場合、該スラブの下面に棒状の吊り部材を固定し、この吊り部材に取り付けて支持することが好ましい。特に、吊り部材のボルト穴を長穴或いはルーズ穴としておくことで、位置調整を可能とし、施工性を向上させることが可能となる。
【００２４】
間仕切壁用ランナー，野縁用ランナー，内装壁用ランナーは、一般に使用されている軽鉄製のランナーを用いることが可能である。これらのランナーは、夫々薄い鋼板（軽鉄）を目的の機能に応じた寸法を持ってコ字状に折り曲げて形成されており、コ字の開放部分から壁下地となるスタッドや天井下地となる野縁を嵌め込んで支持し得るように構成されている。
【００２５】
また両端が野縁用ランナーに嵌め込まれた状態で固定される野縁として、材料を特に限定するものではないが、重量や強度の点、寸法精度の高い点等の観点から軽鉄製の角パイプによって構成されたものであることが好ましい。同様に、間仕切壁用ランナー，内装壁用ランナーにに嵌め込まれた状態で固定されるスタッドも軽鉄製の角パイプによって構成されたものであることが好ましい。
【００２６】
次に、本発明に係る下地構造の好ましい実施例について図を用いて説明する。図１は第１実施例に係る壁を優先させて間仕切壁と内装壁を構成する際の下地構造を模式的に説明する図である。図２は第１実施例に於ける間仕切壁の構成を説明する図である。図３は梁から垂木を支持する際の垂木と支持金物との関係を説明する斜視図である。図４は第１実施例に係る下地構造に於いて将来の間取りの変更に備えた或いは間仕切壁を撤去した後の下地構造を説明する図である。図５は第２実施例に係る天井を優先させて間仕切壁と内装壁を構成する際の構造を模式的に説明する図である。
【００２７】
図１に示すように、長尺状の木材からなる垂木１は、支持金物２を介して梁３に支持されている。垂木１は、間仕切壁Ａを構成する部位では並行して設けられた二つの内壁４に夫々対応する位置に設けられており、また外壁６に沿って設けた内装壁Ｂを構成する部位では、該内装壁Ｂに対応する位置に設けられている。
【００２８】
本実施例に於いて、垂木１は、幅寸法が３０ｍｍ，高さ寸法が４０ｍｍの長尺状の木材によって構成されている。
【００２９】
垂木１を梁３から支持する支持金物２は、図３に示すように、梁３のフランジ３ａに取り付けられる取付片２ａと、取付片２ａと平行に形成され垂木１を取り付ける垂木取付片２ｂと、取付片２ａと垂木取付片２ｂと接続する接続片２ｃと、からなるコ字状に形成されている。特に、取付片２ａの垂木１に沿った方向の長さが、垂木取付片２ｂの長さよりも短く形成されており、且つ取付片２ａには垂木１の取付方向に沿った方向の長穴２ｄが形成され、垂木取付片２ｂには複数の穴２ｅが形成されている。
【００３０】
従って、垂木取付片２ｂに形成した穴２ｅの上部には取付片２ａが存在しないこととなり、垂木１に支持金物２を取り付けるに際し、垂木取付片２ｂを垂木１に載置した状態で釘やビス等の固定具２ｆを穴２ｅに挿通して固定する際に取付片２ａが邪魔になることがなく、作業を容易に行うことが可能である。そして予め設定されたピッチで複数の支持金物２を取り付けた垂木１を梁３のフランジ３ａに取り付ける際には、該フランジ３ａに形成されている図示しないボルト穴と支持金物２の取付ピッチが一致しないような場合であっても、長穴２ｄが形成されているため、ボルト５ａ，ナット５ｂによって確実に梁３に取り付けることが可能である。
【００３１】
上記の如く、梁３のフランジ３ａに支持された垂木１は、間仕切壁Ａを構成する並行して配置された一対の内壁４に対応して配置され、また内装壁Ｂに対応して配置されて懸垂状態で支持されている。特に、垂木１が木製であるため、周囲の面に墨打ちして明確に判定することが可能である。このため、所定位置に垂木１を配置した後、該垂木１の側面１ａや下面１ｂに各ランナー７〜９を固定する際の基準線を墨打ちしておくことが可能である。
【００３２】
また垂木１は支持金物２の自由端に取り付けられているため、作業員がフランジ３ａの幅方向への力を付与することで、動かすことが可能である。このため、垂木１に取り付けるべき内壁４の位置の微妙な変更に応じて、適宜調整することが可能となり、精度の良い間仕切壁Ａ，内装壁Ｂを構成することが可能である。
【００３３】
間仕切壁Ａに対応する部位では、並列した垂木１の互いに対向する面とは反対側の側面１ａに夫々野縁用ランナー７が固定具１５によって固定されると共に、二つの垂木１の下面１ｂに跨がって間仕切壁用ランナー８が固定具１５によって固定されている。また内装壁Ｂに対応する部位では、垂木１の屋内側の側面１ａに野縁用ランナー７が固定具１５によって固定されると共に下面１ｂに内装壁用ランナー９が固定具１５によって固定されている。
【００３４】
野縁用ランナー７は天井の基準レベルを設定するものであり、予め梁３に支持された垂木１の側面１ａに墨打ちしておき、この線を基準として取り付けられている。このため、垂木１の下面１ｂが野縁用ランナー７の下部片７ｃから下方へ突出することのないように、支持金物２の接続片３ｃの長さが設定されている。垂木１の下面１ｂは野縁用ランナー７の下部片７ｃと同一面内に配置されていても良いが、下面１ｂが下部片７ｃよりも上部に位置することが好ましい。
【００３５】
野縁用ランナー７は垂木１の側面１ａに取り付けられる取付片７ａと、上部片７ｂ，下部片７ｃとからなるコ字状に形成されている。野縁ランナー７の成形形状（断面形状）はコ字状であれば特に限定するものではなく、作業員が上向きで行う作業が容易なような形状であることが好ましい。野縁用ランナー７に野縁１０を取り付けると共に固定する作業は、通常行われている作業である。
【００３６】
間仕切壁用ランナー８は間仕切壁Ａの下地材となるスタッド１１の幅寸法よりも僅かに大きい寸法を有しており、二つの垂木１の下面１ａに跨いで取り付けられる取付片８ａと、取付片８ａの両側から形成された垂下片８ｂとを有するコ字状に形成されている。図２に示すように、間仕切壁用ランナー８と対向する床面には該間仕切壁用ランナー８と同様にコ字状に形成された床用ランナー１６が固定されており、この床用ランナー１６と間仕切壁用ランナー８との間に角パイプ状のスタッド１０が挿入され、端部が間仕切壁用ランナー８の垂下片８ｂに固定されている。このようなスタッド１１を間仕切壁用ランナー８に取り付ける作業も通常行われているものである。
【００３７】
内装壁用ランナー９は、内装壁Ｂの下地となるスタッド１２の幅寸法よりも僅かに大きい寸法を有しており、１本の垂木１の下面１ｂに取り付けられる取付片９ａと、取付片９ａの両側に形成された垂下片９ｂとを有するコ字状に形成されている。そして図示しない床面に固定されたランナーとの間に角パイプ状のスタッド１２が挿入され、端部が垂下片９ｂに固定されている。
【００３８】
上記の如くして垂木１の側面１ａに取り付けた野縁用ランナー７に取り付けた野縁１０の下面には、所定の厚さを持った石膏ボード等の天井面の下地材となる天井材１３が取り付けられており、この天井材１３の室内側の面（下面）に図示しない仕上げ材が施工されて目的の天井が形成される。
【００３９】
また間仕切壁Ａに対応する部位ではスタッド１１には所定の厚さを持った石膏ボード等の壁面の下地材となる壁材１４が取り付けられ、且つ内装壁Ｂに対応する部位ではスタッド１２に壁材１４が取り付けられ、更に、壁材１４の室内側の面（表面）に図示しない仕上げ材が施工されて目的の壁が形成される。
【００４０】
上記の如く構成された下地構造では、垂木１が梁３に沿って配置されることになり、該垂木１の配置位置に対応した天井のグリッドを構成することが可能となる。このため、個々のグリッド毎に野縁用ランナー７の配置方向や、野縁１０の配置方向（向き）及び配置間隔を自由に設定することが可能となり、且つ予め将来の間取りの変更を想定して天井に形成すべき開口部の位置を設定しておくことが可能となる。
【００４１】
また間仕切壁Ａに対応する部位に、該間仕切壁Ａを構成する内壁４に対応して互いに独立した垂木１が配置されるため、間仕切壁Ａと天井が接続されたときであっても、これらの垂木１が相互に直接接続されることがない。このため、一方の内壁４や天井の振動が遮断されることとなり、隣接する他の部屋に伝わることがない。
【００４２】
図４は、前述の実施例に係る下地構造に於いて、将来の間取りの変更に備えた或いは間仕切壁を撤去した後の下地構造を示すものである。尚、図に於いて前述の実施例と同一の部分及び同一の機能を有する部分には同一の符号を付して説明を省略する。
【００４３】
図に示すように、梁３のフランジ３ａから支持された垂木１の側面１ａには野縁用ランナー７が取り付けられており、該野縁用ランナー７に野縁１０が取り付けられている。また野縁１０の下面には天井材１３が取り付けられている。
【００４４】
垂木１の下面１ｂ或いは野縁ランナー７の下部片７ｃには、天井材１３と同様の厚さを持った石膏ボード等の天井材１８が配置され、野縁ランナー７の下部片７ｃの下面に取り付けられている。従って、二つの天井材１３，１８は同一の厚さと材質を有するため、室内側の面に凹凸が形成されることなく、天井仕上げを施工するための下地を構成することが可能である。
【００４５】
例えば、現在構成されている間仕切壁Ａを撤去する場合、図２に示す状態から壁下地材１４，スタッド１１を取り外すと共に各ランナー８，１６と取り外すことで、並行して配置された二つの垂木１を露出させ、その後、天井材１３の端部を切除して野縁用ランナー７の下部片７ｃの一部を露出させた後、該下部片７ｃに天井材１８を取り付ける。これにより、現在の間仕切壁Ａを撤去して天井を構成することが可能である。
【００４６】
また図４に示す状態から間仕切壁Ａを構成する場合、天井材１８を撤去した後、露出した垂木１の下面１ｂに間仕切壁用ランナー８を固定し、次いで、スタッド１１，天井材１３の端部を間仕切壁用ランナー８の垂下片８ｂまで延長させ、その後、壁材１４を取り付けることで、間仕切壁Ａを構成することが可能である。
【００４７】
次に、天井を優先させたときの下地構造について図５により説明する。図に示すように、内装壁Ｂを構成する構造は前述の実施例と同一である。即ち、外壁６に沿った梁３のフランジ３ａに支持金物２が取り付けられており、該支持金物２によって垂木１が支持されている。垂木１の屋内側の側面１ａには野縁用ランナー７が固定されており、この野縁用ランナー７に野縁１０の一方の端部が固定されている。
【００４８】
野縁１０の他方側の端部は、間仕切壁Ａを構成する部位であるか否かに関わらず対向する図示しない梁に支持された垂木に取り付けた野縁用ランナー７に固定されている。このため、野縁１０の張り渡し長さが長くなって、作用する天井の荷重に応じて撓みが生じる。従って、野縁１０の張り渡し方向の中間位置にある梁３のフランジ３ａにＬ字状に形成された支持部材２０を取り付けると共に、該支持部材２０に先端にクリップを取り付けた野縁受け２１を取り付け、このクリップを野縁１０に係合させることで、野縁１０に作用する荷重を梁３に伝達して支持し得るように構成している。
【００４９】
間仕切壁Ａを構成する場合、間仕切壁Ａと対応する野縁１０に間仕切壁用ランナー８を取り付け、この間仕切壁用ランナー８にスタッド１１を取り付けた後、天井材１３，壁材１４を夫々対応する野縁１０，スタッド１１に取り付けている。
【００５０】
上記例であっても、内装壁Ｂに対応する部位に垂木１を配置すると共に各ランナー７，９を取り付け、更に、これらのランナー７，９に野縁１０及びスタッド１２を取り付け、これらの野縁１０とスタッド１２に夫々天井材１３，壁材１４を取り付けることで、天井と壁との接続部の下地を構成することが可能である。
【００５１】
上記の如く、この実施例では、内装壁Ｂは壁，天井のどちらが優先しても施工可能な構造であり、間仕切壁Ａは天井が優先して構成される天井勝ち構造である。
【００５２】
【発明の効果】
以上詳細に説明したように本発明に係る下地構造では、天井と壁との接合部、或いは予め想定された天井と壁との接合部に於ける天井の下地と壁の下地が互いに独立しており、将来間取りを変更する際に、必要な部分のみを撤去して簡単に対応することが出来る。
【００５３】
特に、内壁と対応する位置に木製の垂木を配置して梁或いは上部のスラブから支持することで、垂木の片側の側面にのみランナーを取り付けるので、外壁に沿った内装壁であっても容易に施工することが出来、該部位に壁勝ち構造の内装壁を構成することが出来る。
【００５４】
また垂木が木製であるため、天井や壁を施工する際にランナーの取付位置等の基準となる墨出しすることが容易に出来るため、施工作業を容易にすることが出来る。また各内壁に対応させた垂木が夫々が独立しているため、壁の厚さ方向への位置の調整が容易であり、壁厚の変化に容易に対応することが出来る。
【図面の簡単な説明】
【図１】第１実施例に係る壁を優先させて間仕切壁と内装壁を構成する際の下地構造を模式的に説明する図である。
【図２】第１実施例に於ける間仕切壁の構成を説明する図である。
【図３】梁から垂木を支持する際の垂木と支持金物との関係を説明する斜視図である。
【図４】第１実施例に係る下地構造に於いて将来の間取りの変更に備えた或いは間仕切壁を撤去した後の下地構造を説明する図である。
【図５】第２実施例に係る天井を優先させて間仕切壁と内装壁を構成する際の構造を模式的に説明する図である。
【符号の説明】
Ａ                    間仕切壁
Ｂ                    内装壁
１                    垂木
１ａ                  側面
１ｂ                  下面
２                    支持金物
２ａ                  取付片
２ｂ                  垂木取付片
２ｃ                  接続片
２ｄ                  長穴
２ｅ                  穴
３                    梁
３ａ                  フランジ
４                    内壁
５ａ                  ボルト
５ｂ                  ナット
６                    外壁
７                    野縁用ランナー
７ａ                  取付片
７ｂ                  上部片
７ｃ                  下部片
８                    間仕切壁用ランナー
８ａ                  取付片
８ｂ                  垂下片
９                    内装壁用ランナー
９ａ                  取付片
９ｂ                  垂下片
１０                    野縁
１１，１２                スタッド
１３，１８                天井材
１４                    壁材
１５                    固定具
１６                    床ランナー
２０                    支持部材
２１                    野縁受け
【図１】
2004285561.tif 000003
【図２】
2004285561.tif 000004
【図３】
2004285561.tif 000005
【図４】
2004285561.tif 000006
【図５】
2004285561.tif 000007